(57)【特許請求の範囲】
【請求項１】
原水圧で原水を下側側面から浄水器のフィルタ室に導入し浄化して取り出す浄水器であって、
基部で原水ホースに結合し先端外周に周状のクリック溝を備える原水ホースプラグと、
浄水器の下端側面に固定されている管状の固定スリーブと、
前記浄水器のフィルタ室に連通する管状の側路と、
前記側路端に設けられ前記ホースプラグの先端が挿入される受け筒と、
一端にインデックスを有する管状のホースロックつまみと、
前記ホースロックつまみの内周の規制を受け前記受け筒の孔から前記ホースプラグのクリック溝に臨まされるクリックボールと、を備え、
前記ホースロックつまみは前記インデックスを前記固定スリーブより外側に出した状態で回転可能に配置され、
前記ホースプラグが前記ホースロックつまみに挿入され、先端が前記受け筒に挿入され前記側路端に対面させられ、
前記ホースロックつまみの前記クリックボールに対応する面は、円周カム状であり、
前記ホースロックつまみを回転させることにより、前記クリックボールを前記ホースプラグのクリック溝に押し出す位置と、退避する位置のいずれかに位置させ、ホースプラグの固定または引き抜きを可能にしたことを特徴とする原水ホースプラグ接続手段を備える浄水器。
【請求項２】
前記原水ホースプラグの先端にはＯリングが配置されており、前記クリック溝の下流で前記ホースプラグの受け筒と水密を保つ請求項１記載の原水ホースプラグ接続手段を備える浄水器。
【発明の詳細な説明】
【０００１】
【発明の属する技術分野】
本発明は、フィルタカートリッジの原水注入端に原水接続ホースを簡単に接続できるようにした浄水器に関する。
【０００２】
【従来の技術】
水道水をはじめとする生活用水の品質低下にともない、数多くの浄水器が提案され、利用されている。家庭用の水道に直接取り付ける小形のものも多く市販されている。そのようなものは、比較的簡単に取り付けられるようになっているが処理能力に制限がある。中形または営業用の厨房でも使用できる据え置き形のものについても多くの提案がなされている。そのような浄水器では、通常原水の圧力（例えば水道水の圧力）で原水をカートリッジに導入するために、ホースがはずれないように比較的頑丈な締めつけ金具を用いて固定する場合が多い。
【０００３】
【発明が解決しようとする課題】
前述のように原水源と浄水器の接続が簡単ではなく、主婦が簡単に行えないことから、当初は浄水器提供者が販売先に出向いて設置する必要があった。また一端設置すると、簡単に取り外して設置位置を変更することは容易ではない。
本発明の目的は、フィルタカートリッジの原水注入端に原水接続ホースを簡単に着脱接続できるようにした原水ホースプラグ接続手段を備える浄水器を提供することにある。
【０００４】
【課題を解決するための手段】
前記目的を達成するために、本発明による原水ホースプラグ接続手段を備える浄水器は、基本的には、原水圧で原水を浄水器に導入して浄水器のフィルタで浄化して取り出す浄水器において、外周にクリック溝を備えた前記原水ホースプラグと、
浄水器に設けられた固定スリーブと、
前記固定スリーブ内に同軸に設けられたホースプラグ受け筒と、
前記受け筒から出没して前記クリック溝に係合離脱するクリック手段と、
カム手段を備え、
前記固定スリーブとホースプラグ受け筒間に回転可能に設けられ、前記クリック手段の出没を制限するホースロックつまみとから構成されている。
前記原水ホースプラグの先端にはＯリングが配置されており、前記クリック溝の下流で前記ホースプラグ受け筒と水密を保って構成されている。
前記クリック手段として１個または複数の鋼球を用いることができる。
前記ホースロックつまみには、原水ホースの着脱可能位置を示すインデックスを付しておくことができる。
本発明による請求項１記載の装置を実施例に対応させて、説明する。
原水圧で原水を下側側面から浄水器のフィルタ室に導入し浄化して取り出す浄水器であって、
基部で原水ホース３０に結合し先端外周に周状のクリック溝１７ａを備える原水ホースプラグ１７と、
浄水器の下端側面に固定されている管状の固定スリーブ１５と、
前記浄水器のフィルタ室に連通する管状の側路１２ａと、
側路１２ａ端に設けられホースプラグ１７の先端が挿入される受け筒（図２の側路１２ａに連接された鍔状部分の右側のクリックボール１３に対応する筒状部分）と、
一端にインデックスを有する管状のホースロックつまみ１４と、
ホースロックつまみ１４の内周の規制を受け前記受け筒の孔からホースプラグ１７のクリック溝１７ａに臨まされるクリックボール１３と、を備え、
ホースロックつまみ１４は前記インデックスを固定スリーブ１５より外側に出した状態で回転可能に配置され、
ホースプラグ１７がホースロックつまみ１４に挿入され、先端が前記受け筒に挿入され側路１２ａ端に対面させられ、
ホースロックつまみ１４のクリックボール１３に対応する面は、円周カム状であり、
ホースロックつまみ１４を回転させることにより、クリックボール１３をホースプラグ１７のクリック溝１７ａに押し出す位置と、退避する位置のいずれかに位置させ、ホースプラグの固定または引き抜きを可能にしたことを特徴とする。
請求項２記載の浄水器は、請求項１記載の原水ホースプラグ接続手段を備える浄水器において、
原水ホースプラグ１７の先端にはＯリング１６が配置されており、クリック溝１７ａの下流でホースプラグ１７の受け筒と水密を保つことを特徴とするものである。
【０００５】
【発明の実施の形態】
以下図面等を参照して本発明による浄水器の実施の形態を説明する。図１は、本発明による浄水器の実施例を示す断面図。図２は、本発明による浄水器の実施例を展開して示した図である。スパウトヘッド１には、スパウト５が一体に設けられており、ここから浄水が供給される。締め込みハンドル２は、カートリッジ９の先端部の雄ねじに結合する雌ねじを持っていて、ボディ８を締めつけ固定しいる。スパウト入水管４は、カートリッジ９の頂部の孔にＯリング６により水密に結合させられており、スパウト入水管４を介してカートリッジ９を通過した水がスパウトヘッド１からスパウト５に供給さる。締め込みハンドル２は、ストッパリング３とスパウトヘッド１で挟みつけられており、スパウトヘッド１、スパウト５、スパウト入水管４は、カートリッジ９に対して一体に回転して給水方向を規定する。
【０００６】
カートリッジ９は、前述した上側部分（蓋部）９ａと、これに結合させられる胴部９ｂから構成され、胴部の底中央部にはストッパリング１９を用いて、１枚または２枚のフィルタ１８が着脱可能に設けられている。カートリッジ９内にはよく知られているように、種々のフィルタ材料、原水活性化材料が挿入されている。これ等のフィルタ材料のカートリッジ９内への充填は、上側部（蓋部）９ａを外した状態で行われる。
【０００７】
この実施例ではフィルタ１８を２枚使用する例を示しているが、フィルタ１８は多孔性のセラミック板で、その枚数または使用時間は原水の品質に基づいて決められる。極めて良質な水で汚濁成分が皆無で、原水を活性化すれば足りる場合、および極端な場合は不要であるか、または１枚を交換しないで長時間使用できる。
カートリッジ９の胴部９ｂの底には開口筒９ｃが設けられており、この筒９ｃの内部にフィルタ１８が交換可能に嵌入されている。この開口筒９ｃの外面には、後述するベース１１にねじ結合するための雄ねじが設けられている。
【０００８】
ベース１１は前述したカートリッジ９の９ｃに結合させられる１１ａ、およびボディ８の下端に結合させられる１１ｂを外周上側に備えている。
中央で下側に向かい、カートリッジ９のフィルタに対面する開口をもつ筒１１ｃが設けられており、この筒１１ｃにメインパイプ１２が結合されている。メインパイプ１２の側路１２ａに連接された鍔状の部分は、固定スリーブ１５の中心側の端面（図１、図３参照）に接続され固定スリーブ１５を介してベース１１の側面に固定支持されている。
側路１２ａに連続する先端部（固定スリーブ１５内に突出して受け筒を構成する部分）の管壁を貫通してクリックボール１３を一対受け入れる孔が２個設けられている（図２参照）。
この孔の側路内面側は、クリックボール（鋼玉）１３の直径よりも小さく、クリックボール１３の一部を側路１２ａ内に臨ませることができるが、クリックボール１３が側路１２ａに落下しないようにしてある。固定スリーブ１５とメインパイプ１２の側路１２ａに連続する前記受け筒を形成する部分間には、ホースロックつまみ１４が回転可能に挿入されている。このホースロックつまみ１４のクリックボール１３に対応する面は、円周カム状になっている。ホースロックつまみ１４を回転させることにより、クリックボール１３をホースプラグ１７の溝に押し出す位置と、退避する位置のいずれかに位置させることができるようになっている。
【０００９】
この実施例では、図２に示されているように、ホースロックつまみ１４の先端側、ベース１１の外に現れる部分にはインデックスが付されており、この部分を固定スリーブ１５の特定の角度位置に合わせたときに、ホースプラグ１７を挿入または引き抜くことができるようになっている。この位置でホースプラグ１７を挿入してホースロックつまみ１４を回転させて、ホースプラグ１７とホースの組立をベース１１にロックすることができる。なおホース３０は、原水源例えば水道の蛇口に接続されている。
【００１０】
図３は、ホースプラグ１７とメインパイプ１２の側路１２ａとの結合状態をさらに詳しく説明するための拡大図である。ホースプラグ１７の竹の子部分にはホース３０が結合されており、このホース３０を介して原水が供給される。ホースプラグ１７の先端近辺に、メインパイプ１２の側路１２ａとホースプラグ１７の先端間を水密に保つためのＯリング１６が設けられている。ホースロックつまみ１４を、クリックボール１３をホースプラグ１７の溝１７ａから退避することができる位置（図示の位置）にしてホースプラグを挿入して、ホースロックつまみ１４を回転させて、クリックボール１３がホースプラグ１７の溝１７ａから退けない位置に戻すと、ホースプラグ１７は固定される。ホースプラグ１７を取り外すときは、クリックボール１３をホースプラグ１７の溝１７ａから退避することができる位置（図示の位置）にしてホース３０を引き抜けば良い。
【００１１】
【発明の効果】
以上詳しく説明したように、本発明による浄水器は、原水圧で原水を浄水器に導入して浄水器のフィルタで浄化して取り出す浄水器であって、外周にクリック溝を備えた原水ホースプラグと、浄水器に設けられた固定スリーブと、前記固定スリーブ内に同軸に設けられたホースプラグ受け筒と、前記受け筒から出没して前記クリック溝に係合離脱するクリック手段と、カム手段を備え、前記固定スリーブとホースプラグ受け筒間に回転可能に設けられ、前記クリック手段の出没を制限するホースロックつまみとから構成されている。したがって、着脱が容易であり、装着後はロックされているから、原水圧で外れる等の問題はない。
【図面の簡単な説明】
【図１】本発明による浄水器の実施例を示す断面図である。
【図２】本発明による浄水器の実施例を示す展開して示した図である。断面図である。
【図３】本発明による原水ホースプラグ接続手段を備える浄水器の接続部を拡大して示した図である。
【符号の説明】
１  スパウトヘッド
２  締め込みハンドル
３  ストッパリング
４  スパウト入水管
５  スパウト
６  Ｏリング
７  蓋
８  ボディ
９  カートリッジ
１０  Ｏリング
１１  ベース
１２  メインパイプ
１３  クリックボール（４φ鋼玉）
１４  ホースロックつまみ
１５  固定スリーブ
１６  Ｏリング
１７  ホースプラグ
１８  プレフィルタ（焼結板）
１９  ストッパリング
３０  ホース
【図１】
0004262853.tif 000002
【図２】
0004262853.tif 000003
【図３】
0004262853.tif 000004